(57)【要約】【課題】塵や埃の位置を正確に把握することで、画質の低下を抑止することが可能な画像読取装置およびその画像処理方法を提供することを目的とする。【解決手段】原稿台ガラス板１１と、原稿台ガラス板１１に対向して配置される原稿背面板２５との間の原稿Ｇを、原稿台ガラス板１１を介して画像データとして読み取るＣＣＤ１０を備えた画像読取装置において、原稿台ガラス板１１と原稿背面板２５との間に原稿Ｇがないときの画像データを第１イメージデータとし、原稿台ガラス板１１と原稿背面板２５との間に位置した原稿Ｇの画像データを第２イメージデータとし、第１イメージデータと第２イメージデータを比較して、一致するときに塵埃と判断する。【選択図】図１
2007251328.tif 000002
【特許請求の範囲】
【請求項１】
光透過性を有する原稿読取台と、前記原稿読取台に対向して配置される原稿背面板と、前記原稿読取台および前記原稿背面板との間の原稿の画像データを、前記原稿ガラスを介して読み取る読取部と、前記原稿読取台と前記原稿背面板との間に原稿がないときの画像データを第１イメージデータとして前記読取部で読み取り、前記原稿読取台と前記原稿背面板との間に位置した原稿の画像データを第２イメージデータとして前記読取部で読み取り、前記第１イメージデータと第２イメージデータを比較して、一致するときに塵埃と判断する制御部とを備えたことを特徴とする画像読取装置。
【請求項２】
前記制御部は、第１イメージデータの値が所定値以上である画素データを塵埃画素データとして、前記塵埃画素データと同じ位置の第２イメージデータの画素データと比較することを特徴とする請求項１記載の画像読取装置。
【請求項３】
前記制御部は、第１イメージデータと、第２イメージデータとが一致するときに、一致した第２イメージデータの画素データに補間処理を行うことを特徴とする請求項１または２記載の画像読取装置。
【請求項４】
原稿読取台ガラス板と、前記原稿読取台に対向して配置される原稿背面板との間の原稿を、前記原稿ガラスを介して画像データとして読み取る画像読取装置の画像処理方法において、前記原稿読取台と前記原稿背面板との間に原稿がないときの画像データを第１イメージデータとし、前記原稿読取台と前記原稿背面板との間に位置した原稿の画像データを第２イメージデータとし、前記第１イメージデータと第２イメージデータを比較して、一致するときに塵埃と判断することを特徴とする画像読取装置の画像処理方法。
【請求項５】
第１イメージデータの値が所定値以上である画素データを塵埃画素データとして、前記塵埃画素データと同じ位置の第２イメージデータの画素データと比較することを特徴とする請求項４記載の画像読取装置の画像処理方法。
【請求項６】
第１イメージデータと、第２イメージデータとが一致するときに、一致した第２イメージデータの画素データに補間処理を行うことを特徴とする請求項４または５記載の画像読取装置の画像処理方法。
【発明の詳細な説明】
【技術分野】
【０００１】
本発明は、原稿イメージを読み取る際に、埃や塵などによるノイズの影響を軽減することが可能な画像読取装置およびその画像処理方法に関する。
【背景技術】
【０００２】
従来の画像読取装置として特許文献１に記載されたものがある。（特許文献１)に記載の画像処理装置は、読み取った画像データを記憶する１ラインメモリからのゴミ検出信号と、読み取りデータに対してシェーディング補正を行うシェーディング補正部からのシェーディング信号と、読み取りデータに対して像域分離用ラインディレイを行うラインディレイ部からの画像エラー信号とにより、塵埃類の付着位置およびキズの位置を特定するものである。そして、このゴミ検出信号は、原稿が挿入されていない状態で読み取ったデータのうち、スレッシュを切るデータをゴミデータとして蓄えた１ラインメモリの出力信号としたものである。
【特許文献１】特開２００４−１７３００２号公報
【発明の開示】
【発明が解決しようとする課題】
【０００３】
しかし、特許文献１に記載の画像処理装置では、ゴミの検出に予め原稿が挿入されていない状態で読み取ったデータのうち、スレッシュを切るデータをゴミデータとしているので、挿入された原稿の読取面とは反対側となる裏面に位置にするゴミまでも補正処理の対象となってしまうおそれがある。特許文献１には、補正処理として、隣の画像データをそのまま使用したり、周辺数画素を使って補間処理を行う等が記載されているが、原稿の裏面側に位置するゴミは、読取データには影響を与えないのに補正処理を行ってしまうと、画質の低下を招きかねない。
【０００４】
これは自動給紙機構を有する画像読取装置では、１点の塵埃による影響が帯状となって現れてしまうので影響範囲が拡大する。
【０００５】
そこで本発明は、塵や埃の位置を正確に把握することで、画質の低下を抑止することが可能な画像読取装置およびその画像処理方法を提供することを目的とする。
【課題を解決するための手段】
【０００６】
本発明は、光透過性を有する原稿読取台と原稿背面板との間に原稿がないときの画像データを第１イメージデータとし、原稿読取台と原稿背面板との間に位置した原稿の画像データを第２イメージデータとし、第１イメージデータと第２イメージデータを比較して、一致するときに塵埃と判断することを特徴とする。
【発明の効果】
【０００７】
本発明は、画像データに影響を与える原稿読取台に付着した塵や埃を特定することができるので、画質の低下を抑止することが可能である。
【発明を実施するための最良の形態】
【０００８】
本発明の請求項１の発明は、光透過性を有する原稿読取台と、原稿読取台に対向して配置される原稿背面板と、原稿読取台および原稿背面板との間の原稿の画像データを、原稿読取台を介して読み取る読取部と、原稿読取台と原稿背面板との間に原稿がないときの画像データを第１イメージデータとして読取部で読み取り、原稿読取台と原稿背面板との間に位置した原稿の画像データを第２イメージデータとして読取部で読み取り、第１イメージデータと第２イメージデータを比較して、一致するときに塵埃と判断する制御部とを備えたことを特徴としたものである。
【０００９】
本発明の画像読取装置は、まず制御部が原稿読取台と原稿背面板との間に原稿がないときの画像データを第１イメージデータとして読取部で読み取る。次に、制御部が原稿読取台と原稿背面板との間に位置した原稿の画像データを第２イメージデータとして読取部で読み取る。そして、制御部が１イメージデータと第２イメージデータを比較して、比較した結果、一致するときに塵埃と判断する。つまり原稿の読み取り面とは反対となる原稿背面板に付着した塵や埃は、第１イメージデータには読取部によって画像データとして読み取られてしまうが、第２イメージデータとしては画像データとしては現れない。従って、第１イメージデータのみに現れた塵や埃は、原稿の画像データの読み取りには影響を与えないので、第１イメージデータと第２イメージデータとの両方に現れたものだけを塵や埃として判断することで、画像データに影響を与える原稿読取台に付着した塵や埃を特定することができる。
【００１０】
本発明の請求項２の発明は、制御部は、第１イメージデータの値が所定値以上である画素データを塵埃画素データとして、塵埃画素データと同じ位置の第２イメージデータの画素データと比較することを特徴としたものである。
【００１１】
制御部が、予め取得した第１イメージデータに対して所定値以上となった画素データを塵埃画素データとする。そうすることで、画像データに影響がない微小な塵や埃は、特定の対象から排除することができる。そして、この塵埃画素データと同じ位置の第２イメージデータの画素データと比較することで、画素データに影響がある塵埃の位置を特定した上で比較することになるので、第２イメージデータ内に含まれる塵埃が影響を与えた画素データの位置を確実に判別することが可能である。
【００１２】
本発明の請求項３の発明は、制御部は、第１イメージデータと、第２イメージデータとが一致するときに、一致した第２イメージデータの画素データに補間処理を行うことを特徴としたものである。
【００１３】
第１イメージデータと第２イメージデータとが一致したときに画素データの補間を行うことで、塵や埃による影響の少ない画像データとすることができる。
【００１４】
本発明の請求項４の発明は、原稿読取台と、原稿読取台に対向して配置される原稿背面板との間の原稿を、原稿ガラスを介して画像データとして読み取る画像読取装置の画像処理方法において、原稿読取台と原稿背面板との間に原稿がないときの画像データを第１イメージデータとし、原稿読取台と原稿背面板との間に位置した原稿の画像データを第２イメージデータとし、第１イメージデータと第２イメージデータを比較して、一致するときに塵埃と判断することを特徴としたものである。
【００１５】
本発明の画像読取装置の画像処理方法は、まず原稿読取台と原稿背面板との間に原稿がないときの画像データを第１イメージデータとして読み取る。次に、原稿読取台と原稿背面板との間に位置した原稿の画像データを第２イメージデータとして読み取る。そして、１イメージデータと第２イメージデータを比較して、比較した結果、一致するときに塵埃と判断する。つまり原稿の読み取り面とは反対となる原稿背面板に付着した塵や埃は、第１イメージデータには画像データとして読み取られてしまうが、第２イメージデータとしては画像データとしては現れない。従って、第１イメージデータのみに現れた塵や埃は、原稿の画像データの読み取りには影響を与えないので、第１イメージデータと第２イメージデータとの両方に現れたものだけを塵や埃として判断することで、画像データに影響を与える原稿読取台に付着した塵や埃を特定することができる。
【００１６】
本発明の請求項５の発明は、第１イメージデータの値が所定値以上である画素データを塵埃画素データとして、塵埃画素データと同じ位置の第２イメージデータの画素データと比較することを特徴としたものである。
【００１７】
予め取得した第１イメージデータに対して所定値以上となった画素データを塵埃画素データとする。そうすることで、画像データに影響がない微小な塵や埃は、特定の対象から排除することができる。そして、この塵埃画素データと同じ位置の第２イメージデータの画素データと比較することで、画素データに影響がある塵埃の位置を特定した上で比較することになるので、第２イメージデータ内に含まれる塵埃が影響を与えた画素データの位置を確実に判別することが可能である。
【００１８】
本発明の請求項６の発明は、第１イメージデータと、第２イメージデータとが一致するときに、一致した第２イメージデータの画素データに補間処理を行うことを特徴としたものである。
【００１９】
第１イメージデータと第２イメージデータとが一致したときに画素データの補間を行うことで、塵や埃による影響の少ない画像データとすることができる。
【００２０】
（実施の形態）
本発明の実施の形態に係る画像読取装置について図面に基づいて説明する。まずは画像読取装置の構成について図１から図３に基づいて説明する。図１は、本発明の実施の形態に係る画像読取装置の構成を示す概略図である。図２は、図１の要部拡大図である。図３は、本発明の実施の形態に係る画像読取装置の構成を示すブロック図である。
【００２１】
図１および図２に示すように画像読取装置１は、フラットベッド上に原稿を載置して読み取ったり、ＡＤＦ（Ａｕｔｏ  Ｄｏｃｕｍｅｎｔ  Ｆｅｅｄｅｒ）で自動的に原稿を給紙して読み取ったりできるもので、原稿を読み取るＣＣＤ（Ｃｈａｒｇｅ  Ｃｏｕｐｌｅｄ  Ｄｅｖｉｃｅｓ）１０と、原稿読取台である原稿台ガラス板１１とが設けられ、原稿台ガラス板１１上の原稿の画像データをＣＣＤ１０で読み取るものである。本実施の形態では、原稿読取台をガラス製である原稿台ガラス板１１としたが、光透過性を有していればアクリルやポリカーボネートなどの樹脂製でも他の材質のものでもよい。
【００２２】
フラットベッドにより画像データを読み取るために、画像読取装置１には、原稿台ガラス板１１上の原稿を挟み込んで押さえるためのフラットベッドカバー１２が設けられている。フラットベッドカバー１２は、フラットベッドとなる原稿台ガラス板１１上に置かれた原稿の画像データをＣＣＤ１０で読み取る際に、光が原稿を透過して原稿の裏面に印刷されている画像データまで読み取られてしまうことを防止するために、原稿台ガラス板１１側の面は白色としている。
【００２３】
また、ＣＣＤ１０は、キャリッジシャフト１３に取り付けられ、タイミングベルト１４によって引っ張られることで、キャリッジシャフト１３に沿って読み取り方向に移動して、原稿台ガラス板１１上に載置された原稿の読み取りが行われる。
【００２４】
また、画像読取装置１は、ＡＤＦ機構として、読み込まれる原稿Ｇを載置する原稿台２１と、原稿台２１に載置された原稿Ｇを引き込む原稿引込ローラ２２と、引き込んだ原稿ＧをＣＣＤ１０の上方へ移動させる原稿フィードローラ２３と、読み取り終わった原稿Ｇを排出する原稿排出ローラ２４とを備えている。
【００２５】
また、ＡＤＦ機構により引き込まれた原稿ＧをＣＣＤ１０により読み込むときに、原稿Ｇの読取面側とは反対側となる位置に、原稿背面板２５が設けられている。原稿背面板２５は、ＡＤＦ機構で引き込まれた原稿Ｇの画像データをＣＣＤ１０で読み取る際に、光が原稿を透過して原稿の裏面に印刷されている画像データまで読み取られてしまうことを防止するための白色板である。画像読取装置１には、ＣＣＤ１０のばらつきを検出するためのシェーディング板２６が設けられている。
【００２６】
図３に示すように画像読取装置１は、ＣＣＤ１０の他、表示部３１と、操作部３２と、ドキュメントセンサ３３と、モータ３４と、ＤＳＰ（Ｄｉｇｉｔａｌ  Ｓｉｇｎａｌ  Ｐｒｏｃｅｓｓｏｒ）３５と、ＲＡＭ（Ｒａｎｄｏｍ  Ａｃｃｅｓｓ  Ｍｅｍｏｒｙ）３６と、ＲＯＭ（Ｒｅａｄ  Ｏｎｌｙ  Ｍｅｍｏｒｙ）３７と、ＣＰＵ（Ｃｅｎｔｒａｌ  Ｐｒｏｃｅｓｓｉｎｇ  Ｕｎｉｔ）３８とを備えている。
【００２７】
表示部３１は、設定情報を表示したり、画像読取装置１の状態を表示したりするもので、ＬＣＤ（Ｌｉｑｕｉｄ  Ｃｒｙｓｔａｌ  Ｄｉｓｐｌａｙ）などが使用できる。操作部３２は、画像読取装置１に解像度の設定や濃度の設定などの設定情報を入力するときなどに使用されるキーである。ドキュメントセンサ３３は、ＡＤＦ機構を用いて原稿を給紙するときに原稿の有無を検知するセンサである。モータ３４は、ＣＣＤ１０をキャリッジシャフト１３に沿って走査させるときにタイミングベルト１４を引っ張ったり、図示しないギヤを介在させて原稿引込ローラ２２と原稿フィードローラ２３とを回転させて原稿を引き込んだりするための駆動部である。ＤＳＰ３５は、ＣＣＤ１０から読み込んだ画像データを処理する画像処理部である。
【００２８】
ＲＡＭ３６は、ＣＰＵ３８が実行するプログラムの作業領域として使用される読み書き可能なメモリである。またＲＡＭ３６には設定情報が格納される不揮発性メモリも設けられている。ＲＯＭ３７は、ＣＰＵ３８が実行するプログラムやプログラムが参照する各種のパラメータが格納されている。ＣＰＵ３８は、ＲＯＭ３７に格納されたプログラムを実行することで画像読取装置１全体を統括制御している。ＣＣＤ１０により画像データを読み込む場合にはＣＰＵ３８からＣＣＤ１０へ指示され、画像データがＣＣＤ１０からＤＳＰ３５へ転送されることで画像データの処理が行われる。ＣＰＵ３８とＲＯＭ３７とＲＡＭ３６とＤＳＰ３５とで制御部が構成される。
【００２９】
以上のように構成される本発明の実施の形態に係る画像読取装置１の動作を、更に図４から図７に基づいて説明する。図４は、本発明の実施の形態に係る画像読取装置の動作を示すフローチャート、図５（Ａ）は、原稿通過前の読み取り画像データである第１イメージデータを示す図、（Ｂ）は、閾値以下の読み取り画素データを処理したときの第１イメージデータを示す図、図６は、図４における読取動作を示すフローチャートである。図７（Ａ）は原稿通過時の読み取り画像データである第２イメージデータを示す図、（Ｂ）は読み取り画像データを補間処理をしたときの第２イメージデータを示す図である。なお本実施の形態では、ＡＤＦ機構を用いて原稿Ｇを読み取る場合を説明する。
【００３０】
図４に示すように、まずＣＣＤ１０の個体差で発生するばらつきを補正するためにシェーディングを行う。その準備としてＣＰＵ３８はＣＣＤ１０をシェーディング板２６の位置まで移動するようモータ３４に指示する（Ｓ１００）。次にＣＰＵ３８はシェーディング板２６の表面をＣＣＤ１０に読み取らせ、補正の元データとなるシェーディングテーブルを作成する（Ｓ１１０）。
【００３１】
シェーディングテーブルの作成が終わるとＣＰＵ３８は、ＡＤＦ読み取りの位置（原稿背面板２５の位置）までＣＣＤ１０を移動させるようモータ３４に指示する（Ｓ１２０）。ＣＰＵ３８は、まず原稿背面板２５と原稿台ガラス板１１との間に原稿Ｇがない状態で、ＣＣＤ１０で原稿背面板２５の表面を読み取る（Ｓ１３０）。そしてＣＣＤ１０から読み取った画像データをＤＳＰ３５へ転送することで第１イメージデータを取得する（Ｓ１４０）。つまり第１イメージデータとは原稿台ガラス板１１と原稿背面板２５との間に原稿Ｇがないときの画像データである。
【００３２】
ここで取得した第１イメージデータについて図５に基づいて説明する。なお図５では、読み取った第１イメージデータの画素データを１６進数で示している。図５（Ａ）に示すようにＣＣＤ１０により読み取った１ライン分の第１イメージデータは、画素０から画素５１１としてそれぞれ画素データを取得している。画素データは、濃淡のレベルが最も低いときで「００」、反対に最も高いときで「ＦＦ」となる。つまり原稿台ガラス板１１を介して読み取られた原稿背面板２５の表面に塵や埃が付着していると濃淡のレベルは高くなる。本実施の形態では、ＣＣＤ１０の画素４および画素５０７に対応する原稿背面板２５の位置には塵か埃が付着しているものとする。従って、画素４では「Ｆ５」、画素５０７では「Ｆ３」と高いレベルを示しており、他の画素データでは、光透過する原稿台ガラス板１１を介して読み取った原稿背面板２５の表面は白色なので、「００」〜「０３」と低いレベルを示している。
【００３３】
図４に戻って、読み取った第１イメージデータに基づいてＤＳＰ３５は、各画素データが閾値未満か否かを判定する（Ｓ１５０）。つまり画素データが閾値とする所定値以上であるときには塵や埃をＣＣＤ１０で読み取った塵埃画素データであると判定するものである。この閾値は、使用者が表示部３１を見ながら操作部３２を操作して設定することで所望とする値とすることができる。閾値を設定するときには、閾値を低くすると原稿背面板２５の少しの汚れまでも後で詳述する補間処理の対象とすることができるが、補間する画像データの箇所が増えるため全体的な画質の低下につながるおそれがある。また閾値が高すぎるとＣＣＤ１０が黒に近い色と認識する塵埃までも補間処理の対象とならないおそれがある。従って、使用者は、適宜状況に応じてこの閾値の設定を変更して、原稿背面板２５の汚れの程度や、ＣＣＤ１０の特性のばらつきを吸収することができる値を決定するのが望ましい。本実施の形態では、この閾値を「１０」や「１５」とする。
【００３４】
Ｓ１５０にて画素データが閾値以上と判定された場合には、ＤＳＰ３５は閾値以上の画素データをそのまま保存する（Ｓ１６０）。Ｓ１５０にて画素データが閾値未満と判定された場合には、ＤＳＰ３５は画素データを保存せずＳ１７０へ移行する。そして、ＤＳＰ３５は判定した画素が最終画素であるか否かの判定をする。判定した結果、最終画素でなければＳ１５０へ移行し、最終画素データであればＳ１８０へ移行する（Ｓ１７０）。
【００３５】
このように画素データが閾値以上と判定された画素のみ画素データを保存することを順次繰り返しながら全画素データに対して処理を行うことで、図５（Ｂ）に示すように、塵埃画素データである画素４および画素５０７のみ画素データが残り、他の画素データは「００」となる。本実施の形態では、画素０から画素５１１まで同じ値の閾値で、全画素データに対してＳ１５０からＳ１７０までの処理を行っているが、複数の閾値で処理を行うようにしてもよい。例えば、塵埃が付着しやすい原稿背面板２５の中央部は閾値を高くし、端部に近くなるほど低くすることで、補間処理を行うことでおきる画質の低下を最低限に抑えることができる。またＣＣＤ１０の位置によって発生する特性のばらつきに応じて閾値を変更することも可能である。
【００３６】
この時点では、画素４および画素５０７で読み取られた塵や埃の位置が、図２に示すように原稿台ガラス板１１の下面側（ＣＣＤ１０側）に付着した塵埃Ｄ１か、原稿台ガラス板１１の上面側に付着した塵埃Ｄ２か、原稿背面板２５に付着した塵埃Ｄ３かは判断ができない。
【００３７】
そして、ＣＰＵ３８は、原稿引込ローラ２２と原稿フィードローラ２３とを回転させて原稿Ｇを引き込み、読み取り開始位置まで原稿Ｇを移動させる（Ｓ１８０）。
【００３８】
読み取り開始位置まで移動させた原稿Ｇの画像データを１ページ分の読取動作（スキャン）によって読み取る（Ｓ１９０）。このＳ１９０で行われる読取動作について図６に基づいて詳細に説明する。
【００３９】
図６に示すように、ＣＰＵ３８は、原稿Ｇの１ライン分の画像データを読み込み第２イメージデータとしてＤＳＰ３５へ転送するようＣＣＤ１０に指示する（Ｓ２００）。つまり、第２イメージデータとは、原稿台ガラス板１１と原稿背面板２５との間に位置したときの原稿Ｇの画像データである。このときの第２イメージデータの状態を図７（Ａ）に示す。
【００４０】
読み取った原稿Ｇに何も絵や図形などがなければ画素データとして低いレベルとなる。例えば、図７（Ａ）に示すように画素０では「０２」、画素１では「０１」、画素３では「００」というように全体的に低いレベルである。
【００４１】
この読み取った第２イメージデータの各画素データに対して第１イメージデータと比較を行う（Ｓ２１０）。この比較は、第１イメージデータで閾値以上となった画素と同じ位置の第２イメージデータの画素とが対象となる。例えば図５（Ｂ）では、画素４と画素５０７が閾値以上となった画素である。この第１イメージデータの画素４の画素データと、図７（Ａ）に示す第２イメージデータの画素４の画素データを比較する。第１イメージデータの画素４の画素データは「Ｆ５」である。第２イメージデータの画素４の画素データは「０２」である。従って、第１イメージデータと第２イメージデータとはレベルが一致しないと判定され、Ｓ２４０へ移行する。これは、原稿台ガラス板１１と原稿背面板２５との間に原稿Ｇがないときには第１イメージデータの画素４では「Ｆ５」のレベルで読み取られた画素データが、原稿Ｇがあるときには第２イメージデータの画素４では「０２」と変化していることから、塵または埃が原稿背面板２５に付着していると判定することができる。つまり図２に示される塵埃Ｄ３である。従って、原稿Ｇの画像データには影響を与えないので、画像データに対して補正や補間を行う必要がない。このように第１イメージデータと第２イメージデータとを比較することで、読み込んだ画像データの画質の低下を抑止することができる。
【００４２】
Ｓ２４０では、判定した画素が最終画素であるか否かの判定をする。判定した結果、最終画素でなければ次の画素を判定するためＳ２１０へ移行し、最終画素であればＳ２５０へ移行する。
【００４３】
Ｓ２１０にて第１イメージデータと第２イメージデータとのそれぞれの画素データが一致するときにはＳ２２０へ移行する。例えば図５（Ｂ）に示すように第１イメージデータの画素５０７は「Ｆ３」であり、図７（Ａ）に示す第２イメージデータの画素５０７も「Ｆ３」である。従って、第１イメージデータと第２イメージデータとは濃淡のレベルが一致していると判定される。これは、原稿Ｇが原稿台ガラス板１１と原稿背面板２５との間にないときには第１イメージデータの画素５０７にて「Ｆ３」のレベルで読み取られた画素データが、原稿Ｇが原稿台ガラス板１１と原稿背面板２５との間にあるときでも第２イメージデータの画素５０７で「Ｆ３」と変化していないことから、塵または埃が原稿台ガラス板１１の両面のいずれかに付着していると判定することができる。つまり図２に示される塵埃Ｄ１または塵埃Ｄ２である。従って、この塵埃Ｄ１または塵埃Ｄ３は原稿Ｇの画像データに影響を与えてしまう塵埃であることが判定できる（Ｓ２２０）。
【００４４】
原稿台ガラス板１１の両面のいずれかに塵または埃が付着していると判定されると、ＤＳＰ３５は第２イメージデータの画素５０７の画素データに対して補間処理を行う（Ｓ２３０）。この補間処理としては、塵や埃により影響を受けている画素データを、隣接する画素データの平均の値とすることが行われる。具体的には、図７（Ｂ）に示すように画素５０７と隣接する一方の画素５０６は「０１」であり、他方の画素５０８は「０１」であるので平均は「０１」である。従って、補間処理を行った後の画素５０７は「０１」となる。このように塵や埃で影響を受けた画像データに対して補間処理を行うことで、原稿全体への影響を抑止することができる。ＡＤＦ機構で原稿の画像データを読み取る場合には、小さな塵や埃でも画像データとしては直線状のノイズとなって読み込まれてしまい、画像データ全体に対しての影響が大きい。従って、読み込んだ１ライン分の画素データで塵や埃の影響を受けた画素データであると判定されると、その画素データに対して１つずつ補間処理を行うことで、直線状のノイズを補間によりある程度緩和することができる。
【００４５】
本実施の形態では、補間処理として隣接する画素データの平均の値を画素５０７の画素データとしているが、画素５０７を中心として両側２画素分の単純な平均を画素５０７の画素データとしたり、両側の画像データの濃淡傾向を算出することで予測される画素データを画素５０７の画素データとしたりすることができる。また他の補間方法でも実際の画素データに一致または近似できれば採用することは可能である。
【００４６】
このようにして第１イメージデータの塵埃画素データについてＳ２１０からＳ２４０を繰り返すことで処理が終わるとＳ２５０へ移行する。
【００４７】
Ｓ２５０では、読み込み中の原稿が後端位置となっているか否かをＣＰＵ３８が判定する。後端位置であればＣＣＤ１０による読み込みは終了なのでこの読込動作を終了する。まだ読み込み途中であればＳ２００へ移行して次のラインを読み込む。
【００４８】
以上、本発明の実施の形態について説明してきたが、本発明は前述した実施の形態に限定されるものではない。例えば、本実施の形態では原稿ＧをＡＤＦ機構で読み込んだ場合を説明したが、フラットベッドで原稿Ｇの画像データを読み込む場合でも適用することができる。その場合には、原稿台ガラス板１１上に原稿Ｇを置く前に、フラットベッドカバー１２を原稿背面板として閉じた状態で、ＣＣＤ１０をキャリッジシャフト１３に沿って移動させて第１イメージデータを取得する。そして原稿Ｇを原稿台ガラス板１１上に置いてフラットベッドカバー１２を閉じた状態でＣＣＤ１０をキャリッジシャフト１３に沿って移動させて第２イメージデータを取得して比較することで、原稿台ガラス板１１のいずれかの面か、フラットベッドカバー１２の内側面かのいずれかに付着した塵や埃を検出することが可能である。その場合には、キャリッジシャフト１３に沿って移動するＣＣＤ１０が読み込む画像データを全て取り込み可能な画像メモリを備える必要がある。
【産業上の利用可能性】
【００４９】
本発明は、塵や埃の位置を正確に把握することで、画質の低下を抑止することが可能なので、原稿イメージを読み取ることが可能な画像読取装置およびその画像処理方法に好適である。
【図面の簡単な説明】
【００５０】
【図１】本発明の実施の形態に係る画像読取装置の構成を示す概略図
【図２】図１の要部拡大図
【図３】本発明の実施の形態に係る画像読取装置の構成を示すブロック図
【図４】本発明の実施の形態に係る画像読取装置の動作を示すフローチャート
【図５】（Ａ）原稿通過前の読み取り画像データである第１イメージデータを示す図、（Ｂ）閾値以下の読み取り画素データを処理したときの第１イメージデータを示す図
【図６】図４における読取動作を示すフローチャート
【図７】（Ａ）原稿通過時の読み取り画像データである第２イメージデータを示す図、（Ｂ）読み取り画像データを補間処理をしたときの第２イメージデータを示す図
【符号の説明】
【００５１】
１    画像読取装置
１０    ＣＣＤ
１１    原稿台ガラス板
１２    フラットベッドカバー
１３    キャリッジシャフト
１４    タイミングベルト
２１    原稿台
２２    原稿引込ローラ
２３    原稿フィードローラ
２４    原稿排出ローラ
２５    原稿背面板
２６    シェーディング板
３１    表示部
３２    操作部
３３    ドキュメントセンサ
３４    モータ
３５    ＤＳＰ
３６    ＲＡＭ
３７    ＲＯＭ
３８    ＣＰＵ
Ｇ    原稿
Ｄ１，Ｄ２，Ｄ３    塵埃
【図１】
2007251328.tif 000003
【図２】
2007251328.tif 000004
【図３】
2007251328.tif 000005
【図４】
2007251328.tif 000006
【図５】
2007251328.tif 000007
【図６】
2007251328.tif 000008
【図７】
2007251328.tif 000009